(57)【特許請求の範囲】
【請求項１】
中底から本底までの間に該中底に沿って設けられ、前記中底の厚さ方向へ弾性的に容積変化する弾性気室と、
前記弾性気室の爪先側端部に接続するように設けられる第一通気路及び前記弾性気室の踵側端部に接続するように設けられる第二通気路と、
前記第一通気路が靴外部と連通するように設けられる第一通気口及び前記第二通気路が靴外部と連通するように設けられる第二通気口とを備え、
前記弾性気室は、靴内部空間と連通し、歩行時の体重移動に伴い該弾性気室の一部が部分的に前記踵側端部から前記爪先側端部へ向けて順次圧縮変形するとともに、これらの部分的な圧縮変形に追随して該弾性気室の一部が部分的に前記踵側端部から前記爪先側端部へ向け順次膨張変形するように配置されたことを特徴とする靴。
【請求項２】
前記中底と前記本底の間に中間シートを積層し、この中間シートに前記弾性気室の空間部が形成され、この空間部内に前記中底の厚さ方向へ弾性的に圧縮・膨張変形可能なシート状の弾性体を収容したことを特徴とする請求項１記載の靴。
【請求項３】
前記中底と前記本底の間に積層される中間シートに、前記弾性気室の空間部と前記第一通気路及び前記第二通気路をそれぞれ形成し、この空間部の一端に形成される前記爪先側端部に前記第一通気路を接続するとともに、前記空間部の他端に形成される前記踵側端部に前記第二通気路を接続したことを特徴とする請求項１又は２記載の靴。
【発明の詳細な説明】
【技術分野】
【０００１】
本発明は、靴の使用時における発汗に伴う足ムレを低減するために靴底部分に外気との換気構造が設けられる靴に関する。
詳しくは、靴の内部に発生する湿気や熱を靴の外部に放出するとともに、靴の外部から靴の内部に乾燥した空気を取り込むことが可能なものに関する。
【背景技術】
【０００２】
従来、この種の靴として、胛被と中底とよりなる袋物胛被に外底を当接した靴において、中底の踏み付け部に複数の貫通孔を設けるとともに、その下面には、複数の貫通孔が設けられる靴底用通気部材の収納枠内にメッシュシートと防水性通気シートを順次嵌入し、それを外底の接地面側に狭着して、発泡ポリウレタンの注入で外底と一体成型することにより、靴内部の湿気や熱気が靴底から外部に放出されるとともに、靴底から新鮮な空気が取り入れられ、しかも靴底から水の浸入を防止するものがある（例えば、特許文献１参照）。
また、靴内と連通する幹溝と枝溝により複数に分岐した換気経路を形成し、この換気経路を靴底のかかとの当る部分の内側に形成しかつ体重の掛かり具合によって弾性的に容積変化する気室に合流させ、この気室を靴底の側面から外部に通気路により靴底の外に連絡させることにより、歩行等に伴う体重の掛かり具合によって気室の容積が変化し、靴内の空気を気室の収縮により排気し、気室の膨張により吸気して呼吸式に靴内の空気を換気するものもある（例えば、特許文献２参照）。
【先行技術文献】
【特許文献】
【０００３】
【特許文献１】特開２０００−１６６６０６号公報
【特許文献２】特開２００２−１０８０１号公報
【発明の概要】
【発明が解決しようとする課題】
【０００４】
しかし乍ら、このような従来の靴では、特許文献１の場合、靴底の踏み付け部における広範囲に亘って防水性通気シートが配置されるため、長期間の歩行に伴う防水性通気シートの屈曲変形によって剥離や亀裂が生じる可能性があり、長期間に亘って水の浸入防止機能を維持できないおそれがあるという問題があった。
また、特許文献２の場合には、複数に分岐した換気経路が気室に合流して一つの通気路から靴底の外に連絡されるため、歩行により靴内部から押し出される湿気を含む空気と、通気路から流入する外部からの空気とが、換気経路の幹溝や枝溝内でぶつかり、スムーズな空気流動にならず、換気がスムーズに行われないおそれがあるという問題があった。
【０００５】
本発明は、このような問題に対処することを課題とするものであり、歩行に伴い靴内の空気を入れ替えて足ムレを低減すること、使用者に違和感を与えることなく大量な空気を出し入れすること、弾性気室を簡単に組み込むこと、などを目的とするものである。
【課題を解決するための手段】
【０００６】
このような目的を達成するために本発明は、中底から本底までの間に該中底に沿って設けられ、前記中底の厚さ方向へ弾性的に容積変化する弾性気室と、前記弾性気室の爪先側端部に接続するように設けられる第一通気路及び前記弾性気室の踵側端部に接続するように設けられる第二通気路と、前記第一通気路が靴外部と連通するように設けられる第一通気口及び前記第二通気路が靴外部と連通するように設けられる第二通気口とを備え、前記弾性気室は、靴内部空間と連通し、歩行時の体重移動に伴い該弾性気室の一部が部分的に前記踵側端部から前記爪先側端部へ向けて順次圧縮変形するとともに、これらの部分的な圧縮変形に追随して該弾性気室の一部が部分的に前記踵側端部から前記爪先側端部へ向け順次膨張変形するように配置されたことを特徴とする。
【０００７】
前述した特徴に加えて、前記中底と前記本底の間に中間シートを積層し、この中間シートに前記弾性気室の空間部が形成され、この空間部内に前記中底の厚さ方向へ弾性的に圧縮・膨張変形可能なシート状の弾性体を収容したことを特徴とする。
【０００８】
さらに前述した特徴に加えて、前記中底と前記本底の間に積層される中間シートに、前記弾性気室の空間部と前記第一通気路及び前記第二通気路をそれぞれ形成し、この空間部の一端に形成される前記爪先側端部に前記第一通気路を接続するとともに、前記空間部の他端に形成される前記踵側端部に前記第二通気路を接続したことを特徴とする。
【発明の効果】
【０００９】
前述した特徴を有する本発明は、歩行時の体重移動に伴い弾性気室の一部が部分的に踵側端部から爪先側端部へ向けて順次圧縮変形することにより、靴内部空間から流出して弾性気室内に溜まった湿気を含む空気が、踵側端部から爪先側端部へ向けて押送され、そこから第一通気路を通って第一通気口より靴外部へ排出され、また、これらの部分圧縮変形に追随して弾性気室の一部が部分的に踵側端部から爪先側端部へ向け順次膨張変形することにより、靴外部の乾燥した空気が、第二通気口及び第二通気路を順次通って踵側端部から弾性気室内に吸入され靴内部空間に流出するので、歩行に伴い靴内の空気を入れ替えて足ムレを低減することができる。
その結果、防水性通気シートによって靴底の貫通孔から水の浸入を防止する従来のもののように、靴底の広範囲に亘って防水性通気シートを配置する必要がないから、長期間に亘って水の浸入など心配なく使用できる。
また、複数に分岐した換気経路が気室に合流して一つの通気路から靴底の外に連絡される従来のものに比べ、靴内から放出される湿気を含む空気と、外部から流入する空気とが別々の通気路及び通気口を通るため、途中でぶつかり合うことなく、スムーズに換気できる。
【００１０】
さらに、前記中底と前記本底の間に中間シートを積層し、この中間シートに前記弾性気室の空間部が形成され、この空間部内に前記中底の厚さ方向へ弾性的に圧縮・膨張変形可能なシート状の弾性体を収容した場合には、例えばゴムなどの弾性膜からなる中空体のように弾性気室の一部が圧縮変形した分だけ他部が膨張変形するような不安定な変形とならず、長期に亘り安定して弾性変形可能になるとともに、靴底の広範囲に亘って弾性気室が形成可能になるので、使用者に違和感を与えることなく大量な空気を出し入れすることができる。
その結果、足ムレを著しく低減できて長期に亘り衛生的に保つことができる。
【００１１】
また、前記中底と前記本底の間に積層される中間シートに、前記弾性気室の空間部と前記第一通気路及び前記第二通気路をそれぞれ形成し、この空間部の一端に形成される前記爪先側端部に前記第一通気路を接続するとともに、前記空間部の他端に形成される前記踵側端部に前記第二通気路を接続した場合には、中底と本底の間に中間シートを挟み込むだけで、弾性気室と第一通気路及び第二通気路が一体的に配置されるので、弾性気室を簡単に組み込むことができる。
その結果、製造時間の短縮化と製造コストの低減化を図ることができる。
【図面の簡単な説明】
【００１２】
【図１】本発明の実施形態に係る靴の全体構成を示す斜視図である。
【図２】靴底の分解斜視図である。
【図３】歩行時における重心移動の軌跡を示す説明図である。
【図４】歩行時の体重移動に伴う弾性気室の変形状態を示す説明図であり、（ａ）が圧縮順序を示し、（ｂ）が膨張順序を示している。
【図５】本発明の他の実施形態に係る靴の全体構成を示す斜視図である。
【図６】靴底の分解斜視図である。
【図７】歩行時の体重移動に伴う弾性気室の変形状態を示す説明図であり、（ａ）が圧縮順序を示し、（ｂ）が膨張順序を示している。
【発明を実施するための形態】
【００１３】
以下、本発明の実施形態を図面に基づいて詳細に説明する。
本発明の実施形態に係る靴Ａは、図１〜図７に示すように、中底１や本底２などが積層された靴底Ｓと甲皮Ｕとを固着する周知形態のものであり、靴底Ｓの内部には換気構造が組み込まれている。
この換気構造は、図１及び図５に示すように、中底１から本底２までの間に中底１に沿って設けられる弾性気室３と、この弾性気室３の爪先側端部３ａに接続するように設けられる第一通気路４ａ及び弾性気室３の踵側端部３ｂに接続するように設けられる第二通気路４ｂと、第一通気路４ａが靴外部と連通するように設けられる第一通気口５ａ及び第二通気路４ｂが靴外部と連通するように設けられる第二通気口５ｂとを備えている。
【００１４】
中底１は、歩行に伴い弾性的に屈曲変形可能な材料で足裏と同じ形状のシート状に形成されるインソールであり、その厚さ方向へ全面的に通気性を有するシートが用いられるか、又は少なくとも歩行時に体重がかかる踏み付け部分に、多数の小穴１ａを開穿したシートが用いられ、使用者の足が挿入される靴内部空間Ｂと後述する弾性気室３とを常時連通させるように形成する。
さらに、中底１の一例としては、甲皮Ｕに釣り込みなどで固着することが好ましい。
また、その他の例として、中底１を甲皮Ｕや靴底Ｓに対し着脱自在な中敷として配置することも可能である。
【００１５】
本底２は、例えば革やゴム又は合成樹脂などの歩行に伴い弾性的に屈曲変形可能な材料で、中底１とほぼ同じ大きさ若しくはそれよりも若干大きな足裏形状のシート状に形成されるアウトソールであり、その踵側には、ヒール部６が例えば接着剤などにより固着されるか、或いは一体的に形成される。
【００１６】
弾性気室３は、中底１から本底２までの間で中底１とほぼ平行な平面上において、歩行時に体重がかかる踏み付け部分に配置され、歩行時の踵側から爪先側への体重移動に伴い中底１の厚さ方向へ弾性的に圧縮・膨張変形して容積変化するように形成している。
弾性気室３の具体例としては、図２及び図６に示すように、中底１と本底２の間に層を形成し、この層の足裏と対向する踏み付け部分において少なくとも拇趾球及び小趾球などを覆うように配置されている。
このような弾性気室３を形成する方法の一例としては、図２及び図６に示すように、中底１と本底２の間に、歩行に伴い弾性的に屈曲変形可能な材料で形成された中間シート３ｃを積層し、この中間シート３ｃに空間部３ｄが開口され、この空間部３ｄ内には、中底１の厚さ方向へ弾性的に圧縮・膨張変形可能なシート状の弾性体３ｅを収容することにより、歩行時に体重で加圧されることと該体重による圧力が開放されることでポンプ作用を得られるようにすることが好ましい。
この弾性体３ｅとしては、例えば弾力性を有する合成樹脂繊維を編織したネットや連続気泡タイプの発泡体などが用いられる。
また、その他の例として図示しないが、このような空間部３ｄや弾性体３ｅに代え、例えばゴムなどの弾性膜からなる中空体を配置することで、ポンプ作用が得られるようにすることも可能である。
またさらに、弾性気室３を中底１と一体的に形成して、弾性気室３が靴内部空間Ｂと直接対向させて常時連通状態にすることも可能である。
【００１７】
第一通気路４ａ及び第二通気路４ｂは、中底１から本底２までの間に中底１に沿って曲線状又は直線状に形成される排気用と吸気用の通路であり、靴底Ｓにおいて土踏まずと対向する上側と反対側にそれぞれ２系統配置される。
第一通気路４ａ及び第二通気路４ｂを形成する方法の一例としては、図２及び図６に示すように、中底１と本底２の間に積層される中間シート３ｃにおいて、それに開口した空間部３ｄの爪先側端部３ａと踵側端部３ｂに向け２本の貫通孔を開設するか、又は凹溝を凹設することにより、これら爪先側端部３ａ及び踵側端部３ｂと気密状に連通するように形成することが好ましい。
また、その他の例として図示しないが、このような貫通孔や凹溝に代えて、チューブなどの管体を配管することも可能である。
【００１８】
第一通気口５ａ及び第二通気口５ｂは、例えば本底２の土踏まずと対向する部位やヒール部６の側面又は本底２の底面とヒール部６の間などにそれぞれ開設されて、第一通気路４ａ及び第二通気路４ｂに空気を通過させるが、水や塵などの浸入を防止する構造に形成されている。
第一通気口５ａ及び第二通気口５ｂの具体例としては、図２及び図６に示すように、第一通気路４ａ及び第二通気路４ｂと第一通気口５ａ及び第二通気口５ｂとの間や第一通気路４ａ及び第二通気路４ｂの途中に、例えばシート状や膜状の防水通気性部材７を貼着したり、必要に応じて第一通気口５ａ及び第二通気口５ｂの内部に、例えばメッシュ板や多孔板などの防塵部材８を配置することが好ましい。
また、その他の例として図示しないが、このような防水通気性部材７や防塵部材８に代えて、防水性と通湿性を両立させた防水透湿性素材などを第一通気口５ａ及び第二通気口５ｂに配置することも可能である。
【００１９】
ところで、人が歩行する場合、図３に示すように、先ず靴底Ｓの踵側から着地し、踵に掛かった重心は土踏まずの外側に沿って移動するとともに、小趾球側から拇趾球側へ移動して親指の方向へ抜けていき、このような歩行時における靴底への足圧部位の変化により重心移動の軌跡は、図３の波線に示されるようになることが判っている。
【００２０】
そこで、弾性気室３は、歩行に伴って使用者の体重が、踵の着地から順番に爪先まで設置するまでの移動により、例えば図４（ａ）に符号３１→３２→３３→３４で示すように、弾性気室３の一部が部分的に踵側端部３ｂから爪先側端部３ａへ向けて順次圧縮変形しながら移動するように配置されている。
さらに、これらの部分的な圧縮変形に追随して、踵が地面より離れてから順番に爪先まで離れるまでの体重移動により、例えば図４（ｂ）に符号３１→３２→３３→３４で示すように、弾性気室３の一部が部分的に踵側端部３ｂから爪先側端部３ａへ向け順次膨張変形しながら移動して、弾性気室３の空間容積が復元するように配置されている。
【００２１】
このような本発明の実施形態に係る靴Ａによると、歩行時の踵側から爪先側への体重移動に伴って、弾性気室３の一部が部分的に踵側端部３ｂから爪先側端部３ａへ向け順次圧縮変形することにより、靴内部空間Ｂから流出して弾性気室３内に溜まっていた湿気を含む空気が、主として弾性気室３の踵側端部３ｂから爪先側端部３ａへ向けて押送され、この爪先側端部３ａから第一通気路４ａを通って第一通気口５ａより靴外部へ排出される。
その後に若干遅れて、弾性気室３の一部が部分的に踵側端部３ｂから爪先側端部３ａへ向け順次膨張変形することにより、主として靴外部の乾燥した空気が、第二通気口５ｂから第二通気路４ｂを通って踵側端部３ｂより弾性気室３内に吸入され、靴内部空間Ｂへ流入する。
このような歩行に伴うポンプ動作の繰り返しによって、足の挿入に伴い閉鎖状態となった靴内部空間Ｂへ空気が途中でぶつかり合うことなくスムーズに出し入れされる。
それにより、歩行に伴い靴内部空間Ｂの空気を入れ替えて足ムレを低減することができる。
次に、本発明の各実施例を図面に基づいて説明する。
【実施例１】
【００２２】
この実施例１は、図１、図２及び図４に示すように、中底１と本底２の間に２枚の中間シート３ｃ，３ｆを積層し、中底１と隣接する上側の中間シート３ｃに、弾性気室３の空間部３ｄを開口してシート状の弾性体３ｅが収容されるとともに、第一通気路４ａ及び第二通気路４ｂが形成され、空間部３ｄの一端に形成される爪先側端部３ａに第一通気路４ａの一端を接続し、空間部３ａの他端に形成される踵側端部３ｂに第二通気路４ｂの一端を接続し、これら第一通気路４ａ及び第二通気路４ｂの他端４ｃ，４ｄに接続される第一通気口５ａ及び第二通気口５ｂを、本底２においてヒール部６の近傍位置に並んで開設したものである。
【００２３】
弾性体３ｅとしては、大きな弾力性を有する例えばナイロン（登録商標）などの合成樹脂繊維をパイル構造又はコイル構造に編織した比較的肉厚なものを用い、図１、図２及び図４に示される例では、この弾性体３ｅが上側の中間シート３ｃの土踏まずと対向する部位よりも爪先側の大部分を覆うように配置されている。
また、その他の例として図示しないが、弾性体３ｅを土踏まずの外側と対向する部位を覆うように拡大したり、歩行時に体重がかかる踏み付け部分の全体に拡大することも可能である。
【００２４】
さらに、弾性体３ｅの周端を空間部３ｄの内周に例えば接着剤などにより固着して、上側の中間シート３ｃと一体化されている。
また、本底２と隣接する下側の中間シート３ｆには、第一通気路４ａ及び第二通気路４ｂの他端４ｃ，４ｄと、第一通気口５ａ及び第二通気口５ｂとを連絡する貫通孔３ｇ，３ｈが開穿され、これら貫通孔３ｇ，３ｈを覆うように例えばシート状や膜状の防水通気性部材７が、下側の中間シート３ｆのいずれか一方の表面又は両面に貼着されている。
【００２５】
そして、このような実施例１に係る靴Ａの製造方法の一例としては、中底１に甲皮Ｕの端部を釣り込むなどして固着し、その後工程で中底１の外側に２枚の中間シート３ｃ，３ｆと本底２を順番に積み重ねるとともに、これらを例えば接着剤などにより固着し、最後にヒール部６を固着することで完成する。
また、図１、図２及び図４に示される例では、歩行時に体重がかかる踏み付け部分に多数の小穴１ａが開穿された中底１を用いたが、全面的に通気性がある中底１を用いることも可能である。
【００２６】
このような本発明の実施例１に係る靴Ａによると、中底１と本底２の間に積層される中間シート３ｃに弾性気室３の空間部３ｄを形成してシート状の弾性体３ｅが収容されるため、例えばゴムなどの弾性膜からなる中空体のように弾性気室３の一部が圧縮変形した分だけ他部が膨張変形するような不安定な変形とならず、長期に亘り安定して弾性変形可能になるとともに、靴底Ｓの広範囲に亘って弾性気室３が形成可能になる。
それにより、使用者に違和感を与えることなく大量な空気を出し入れすることができるという利点がある。
【００２７】
さらに、中間シート３ｃに弾性気室３の空間部３ｄと第一通気路４ａ及び第二通気路４ｂがそれぞれ接続形成されるため、この中間シート３ｃを中底１と本底２の間に挟み込むだけで、弾性気室３と第一通気路４ａ及び第二通気路４ｂが一体的に配置される。
それにより、弾性気室３を簡単に組み込むことができるという利点がある。
【実施例２】
【００２８】
この実施例２は、図５及び図６に示すように、第一通気路４ａ及び第二通気路４ｂの他端４ｃ，４ｄに接続される第一通気口５ａ及び第二通気口５ｂをヒール部６の側面に開設した構成が、図１、図２及び図４に示した実施例１とは異なり、それ以外の構成は図１、図２及び図４に示した実施例１と同じものである。
【００２９】
本底２には、下側の中間シート３ｆに開穿された貫通孔３ｇ，３ｈと連絡する通孔２ａ，２ｂが開穿され、これら通孔２ａ，２ｂと第一通気口５ａ及び第二通気口５ｂを連絡する連絡孔６ａ，６ｂがヒール部６に開設されている。
【００３０】
図５及び図６に示される例では、ヒール部６の連絡孔６ａ，６ｂを略Ｌ字形に形成して、第一通気口５ａ及び第二通気口５ｂがヒール部６の互いに反対向きとなる両側面６ｃに開設され、必要に応じて連絡孔６ａ，６ｂの途中に、例えばメッシュ板や多孔板などの防塵部材８を配置している。
その他の例として図示しないが、第一通気口５ａ及び第二通気口５ｂをヒール部６の土踏まず側に向いた面や同じ側面に並べて配置したり、ヒール部６と本底２との境界部分に開設することも可能である。
【００３１】
このような本発明の実施例２に係る靴Ａでも上述した実施例１と同様な作用効果が得られ、更に加えてヒール部６の配設位置近くまで弾性気室３の空間部３ｄ及びシート状の弾性体３ｅを簡単に拡張してその分だけ換気する空気量を増加させることができるという利点がある。
【００３２】
なお、前示実施例では、弾性気室３が、中底１と本底２の間に２枚の中間シート３ｃ，３ｆを積層して、中底１と隣接する上側の中間シート３ｃに弾性体３ｅが収容される空間部３ｄを開口したが、これに限定されず、中底１と本底２の間に１枚の中間シート３ｃのみを積層して、この中間シート３ｃに弾性体３ｅが収容される空間部３ｄを開口するようにしたり、空間部３ｄや弾性体３ｅに代えて、例えばゴムなどの弾性膜からなる中空体を配置しても良い。
さらに、図示例では、本底２とヒール部６を別個に形成して固着しているが、これに限定されず、本底２とヒール部６を一体形成しても良い。
【符号の説明】
【００３３】
１  中底                              ２  本底
３  弾性気室                          ３ａ  爪先側端部
３ｂ  踵側端部                        ３ｃ  中間シート
３ｄ  空間部                          ４ａ  第一通気路
４ｂ  第二通気路                      ５ａ  第一通気口
５ｂ  第二通気口                      Ｂ  靴内部空間
【図１】
0005506457.tif 000002
【図２】
0005506457.tif 000003
【図３】
0005506457.tif 000004
【図４】
0005506457.tif 000005
【図５】
0005506457.tif 000006
【図６】
0005506457.tif 000007
【図７】
0005506457.tif 000008